(57)【要約】セキュリティシステム用の収納可能なアンテナシステムであって、巻きつけ可能な可撓性シートの形をした電子放射部品と、該電子放射部品に動力を与える電源装置と、巻きつけられた状態にある前記放射部品を収容し保管するハウジングとを有する収納可能なアンテナシステムを提供する。前記放射部品は、セキュリティシステムで用いるために広げられた状態に延ばされ得る。１つ若しくはそれ以上のライザが、広げられた状態にある前記放射部品を支持するために前記ハウジングから延びる。前記電子放射部品は、前記ハウジング内に収容され、巻き上げられたブラインドの形態において前記ハウジング内に保存される。
2008517557.tif 000002
【特許請求の範囲】
【請求項１】
セキュリティシステム用の収納可能なアンテナシステムであって、
（Ａ）巻きつけ可能な可撓性シートの形をした電子放射部品と、
（Ｂ）前記電子放射部品に動力を与える電源装置と、
を備えていることを特徴とする収納可能なアンテナシステム。
【請求項２】
巻きつけられた状態にある前記放射部品を収容し保存するためのハウジングを備え、前記放射部品は、巻きつけられた状態において収納可能であり、前記セキュリティシステムで用いるために広げられた状態に延ばされ得ることを特徴とする請求項１に記載の収納可能なアンテナシステム。
【請求項３】
前記広げられた状態にある前記放射部品を支持するために前記ハウジングから延びる少なくとも１つのライザを有していることを特徴とする請求項２に記載の収納可能なアンテナシステム。
【請求項４】
前記少なくとも１つのライザが、前記ハウジングから延びる伸縮式ライザであることを特徴とする請求項３に記載の収納可能なアンテナシステム。
【請求項５】
前記少なくとも１つのライザが、前記ハウジングに隣接した固定点と前記電子放射部品の縁部との間に延びる少なくとも１つのケーブルであることを特徴とする請求項２に記載の収納可能なアンテナシステム。
【請求項６】
前記ケーブルが、前記ハウジングの上にある天井と前記電子放射部品の縁部との間において延びることを特徴とする請求項５に記載の収納可能なアンテナシステム。
【請求項７】
前記電子放射部品は、前記ハウジング内に収容され、巻き上げられたブラインドの形態において前記ハウジング内に保存されることを特徴とする請求項２に記載の収納可能なアンテナシステム。
【請求項８】
前記電子放射部品は、該電子放射部品上に印刷された表示を有していることを特徴とする請求項１に記載の収納可能なアンテナシステム。
【請求項９】
前記電子放射部品は、該電子放射部品上に印刷された広告表示を有していることを特徴とする請求項１に記載の収納可能なアンテナシステム。
【請求項１０】
前記電子放射部品は、前記ハウジング内において容易に交換可能に構成されていることを特徴とする請求項１に記載の収納可能なアンテナシステム。
【請求項１１】
前記電子放射部品に隣接して位置付けられ、対応するタグが前記システムにより作り出されるセキュリティゾーンの内部に存在する場合にエネルギーを与えられる警報表示灯を有していることを特徴とする請求項１に記載の収納可能なアンテナシステム。
【請求項１２】
前記ハウジングが、自給式で持ち運び可能であることを特徴とする請求項２に記載の収納可能なアンテナシステム。
【請求項１３】
前記ハウジングが、地面の下にあるように構成され、前記ハウジングは、前記地面の上の位置に前記電子放射部品を広げるための通路を備えるカバーを有していることを特徴とする請求項２に記載の収納可能なアンテナシステム。
【請求項１４】
前記電子放射部品上に表示を有する前記電子放射部品上に置かれる少なくとも１つの別体の薄層シートを有していることを特徴とする請求項１に記載の収納可能なアンテナシステム。
【請求項１５】
着色される前記電子放射部品上に置かれる少なくとも１つの別体の薄層シートを有していることを特徴とする請求項１に記載の収納可能なアンテナシステム。
【請求項１６】
前記薄層シートが、接着剤を用いて前記電子放射部品に接着されていることを特徴とする請求項１４に記載の収納可能なアンテナシステム。
【請求項１７】
前記接着剤が、一時的な接着剤であることを特徴とする請求項１６に記載の収納可能なアンテナシステム。
【請求項１８】
広げられた状態にある前記放射部品を支持するための前記少なくとも１つのライザが、前記ハウジングから上方へ延びることを特徴とする請求項３に記載の収納可能なアンテナシステム。
【請求項１９】
広げられた状態にある前記放射部品を支持するための前記少なくとも１つのライザが、前記ハウジングから水平に延びることを特徴とする請求項３に記載の収納可能なアンテナシステム。
【請求項２０】
広げられた状態にある前記放射部品を支持するための前記少なくとも１つのライザが、前記ハウジングから下方へ延びることを特徴とする請求項３に記載の収納可能なアンテナシステム。
【請求項２１】
前記電源装置は、標準の交流１１０ボルト電源を使用して動作可能であることを特徴とする請求項１に記載の収納可能なアンテナシステム。
【請求項２２】
セキュリティシステム用の収納可能なアンテナシステムであって、
（Ａ）巻きつけ可能な可撓性シートの形をした電子放射部品と、
（Ｂ）前記電子放射部品に動力を与える電源装置と、
（Ｃ）巻きつけられた状態にある前記放射部品を収容し保存するためのハウジングであって、前記放射部品が、巻きつけられ状態において収納可能であり、前記セキュリティシステムで用いるために広げられた状態に延ばされ得る前記ハウジングと、
（Ｄ）前記広げられた状態にある前記放射部品を支持するために前記ハウジングから延びる少なくとも１つのライザと、を備え、
（Ｅ）前記電子放射部品が、前記ハウジング内に収容され、巻き上げられたブラインドの形態において前記ハウジング内に保存される、
ことを特徴とする収納可能なアンテナシステム。
【請求項２３】
前記少なくとも１つのライザが、前記ハウジングから延びる伸縮式ライザであることを特徴とする請求項２２に記載の収納可能なアンテナシステム。
【請求項２４】
前記少なくとも１つのライザが、前記ハウジングに隣接した固定点と前記電子放射部品の縁部との間に延びる少なくとも１つのケーブルであることを特徴とする請求項２３に記載の収納可能なアンテナシステム。
【請求項２５】
前記ケーブルが、前記ハウジングの上にある天井と前記電子放射部品の縁部との間において延びることを特徴とする請求項２４に記載の収納可能なアンテナシステム。
【請求項２６】
前記電子放射部品は、該電子放射部品上に印刷された表示を有していることを特徴とする請求項２２に記載の収納可能なアンテナシステム。
【請求項２７】
前記電子放射部品は、該電子放射部品上に印刷された広告表示を有していることを特徴とする請求項２２に記載の収納可能なアンテナシステム。
【請求項２８】
前記電子放射部品は、前記ハウジング内において容易に交換可能に構成されていることを特徴とする請求項２２に記載の収納可能なアンテナシステム。
【請求項２９】
前記電子放射部品に隣接して位置付けられ、対応するタグが前記システムにより作り出されるセキュリティゾーンの内部に存在する場合にエネルギーを与えられる警報表示灯を有していることを特徴とする請求項２２に記載の収納可能なアンテナシステム。
【請求項３０】
前記ハウジングが、自給式で持ち運び可能であることを特徴とする請求項２２に記載の収納可能なアンテナシステム。
【請求項３１】
前記ハウジングが、地面の下にあるように構成され、前記ハウジングは、前記地面の上の位置に前記電子放射部品を広げるための通路を備えるカバーを有していることを特徴とする請求項２２に記載の収納可能なアンテナシステム。
【請求項３２】
前記電子放射部品上に表示を有する前記電子放射部品上に置かれる少なくとも１つの別体の薄層シートを有していることを特徴とする請求項２２に記載の収納可能なアンテナシステム。
【請求項３３】
着色される前記電子放射部品上に置かれる少なくとも１つの別体の薄層シートを有していることを特徴とする請求項２２に記載の収納可能なアンテナシステム。
【請求項３４】
前記薄層シートが、接着剤を用いて前記電子放射部品に接着されていることを特徴とする請求項３３に記載の収納可能なアンテナシステム。
【請求項３５】
前記接着剤が、一時的な接着剤であることを特徴とする請求項３４に記載の収納可能なアンテナシステム。
【請求項３６】
広げられた状態にある前記放射部品を支持するための前記少なくとも１つのライザが、前記ハウジングから上方へ延びることを特徴とする請求項２２に記載の収納可能なアンテナシステム。
【請求項３７】
広げられた状態にある前記放射部品を支持するための前記少なくとも１つのライザが、前記ハウジングから水平に延びることを特徴とする請求項２２に記載の収納可能なアンテナシステム。
【請求項３８】
広げられた状態にある前記放射部品を支持するための前記少なくとも１つのライザが、前記ハウジングから下方へ延びることを特徴とする請求項２２に記載の収納可能なアンテナシステム。
【請求項３９】
前記電源装置は、標準の交流１１０ボルト電源を使用して動作可能であることを特徴とする請求項２２に記載の収納可能なアンテナシステム。
【発明の詳細な説明】
【技術分野】
【０００１】
本発明は、概括的に言えば、システム用アンテナに隣接したセキュリティゾーンの内部に存在するセキュリティタグを検出するための電子商品セキュリティ（ＥＡＳ）または無線識別タグ（ＲＦＩＤ）システムなどの電子セキュリティシステムに関し、より詳しく言えば、持ち運び可能であり、広告などのための交換可能な表示（indicia）をアンテナシステム構造上に設けるという二次的な特徴を与える前記システム用の改良されたアンテナシステム構造に関する。
【背景技術】
【０００２】
特定の敷地から商品の認められていない移動を禁止するために様々な電子商品監視システムが提案され、また実行されている。このひとつの一般的な形は、小売店、図書館などの出口近くに配置されるようになってきている電子商品監視システムである。しかしながら、電子商品監視システムはまた、プロセスおよび在庫管理の目的のために、異なるアプリケーション間において商品が特定のシステムを通過するときにその商品を追跡するために使用される。
【０００３】
このような電子商品監視システムは、関連するアプリケーションに関係なく、一般に共通の原則で作動する。監視される商品は、適用される無線周波数範囲に反応するための回路（共振回路）を含む（異なる様々なタイプの）タグを備えている。送信機および送信アンテナがこの適用範囲を生じさせるために設けられ、受信機および受信アンテナがその適用範囲における外乱（disturbance）を検出するために設けられる。前記送信アンテナおよび受信アンテナは、セキュリティタグひいては商品が出口点を通過するときにセキュリティタグひいては商品を検出するために、一般にそのような施設からの出口地点にまたは出口地点の周囲に位置付けられる。タグのアクティブ回路が、（所定の敷地からの出口地点の近くに一般に配置される）送信アンテナおよび受信アンテナ間を通過する場合、この適用範囲は、受信機の内部に検出可能な結果が作り出されるようにして影響を受ける。これは次に、適切な警報を作り出すために用いられる。この一般的なタイプのシステムは、特に、ニュージャージー州、ソロフェアーにあるチェックポイントシステムズ社のような製造業者から入手可能である。
【０００４】
環境や規制に対する配慮のため、各システムは、保護される商品に取り付けられたセキュリティタグが確実に検出され得る限られた領域のみにわたって一般に有効である。そのような領域は、一般にセキュリティゾーンと呼ばれており、一般に幅が約６フィートに限定されてもよい。多くの店や図書館は、このような６フィート幅を有するセキュリティゾーンに応じた大きさのただ１つの出口を有しているとはいえ、多くの他の小売店は、並んで配置される８または１０の出口を有している。さらに、大きいモールストアーはしばしば、そのモールとの連絡部として機能する１０フィート若しくはそれ以上の幅を有する一般に幅広い屋外の領域または通路を有している。従って、このような多くの状況において、複数のシステムは、ただ１つのシステムにより確実に保護することができるものより大きい幅を有する出口／入口地点を十分に保護する必要がある。
【０００５】
保護される必要がある大きいモールの通路において、その店主は、美的、視覚的な理由またはマーケティングの理由のため、複合的で大きく並んである“脚柱（pedestal）”アンテナ構造を備える従来のシステム設備を使用しないことを望んでいるようである。店主は、アンテナ構造が通路の下の床に取り付けられる、あるいは通路の上に掛けられる、あるいはその両方である、目につかないシステムを好むことが多い。加えて、店主は、アンテナ構造を別の位置に容易に配置することができる非固定式システム、または、パートタイムの形でのみ使用することができるが、必要に応じて配備することができ、必要でない場合に隠すことができるシステムを好むことが多い。
【０００６】
多数の特許が、ＥＡＳおよびＲＦＩＤシステムに取り組んでいる。例えば、（デービス・ジュニア（Ｄａｖｉｅｓ、Ｊｒ）らによる）米国特許第６２７１７５６号は、セキュリティゾーン内の共振セキュリティタグを検出し警報信号を発生させるためのセキュリティタグ検出および位置測定システムを教示している。前記セキュリティゾーンは、複数のセキュリティゾーンを有しており、呼び掛け信号を放ち、応答信号を受け取るためのアンテナアレイを備えている。該アンテナアレイは、セキュリティゾーンの上方境界、下方境界、または上方境界および下方境界の両方を形成し、セキュリティゾーンの幅および長さにわたって水平に延びている。前記アンテナアレイは、少なくとも２つのアンテナを備えている。上方境界および下方境界を形成するアンテナは、各アンテナが１つの検出ゾーンに電磁的に連結された状態で単一水平面に並んで配置される。セキュリティタグ検出および位置測定システムはまた、呼び掛け信号をアンテナアレイに伝え、そのアンテナアレイから応答信号を受け取り、警報信号を発生させるための１つ若しくはそれ以上のＥＡＳセンサを有している。セキュリティタグ検出および位置測定システムはまた、各ＥＡＳセンサに接続され、警報信号を受け取りその警報信号に対応する検出ゾーンを表示するための信号表示器を有している。
【０００７】
持ち運び可能なシステムを提供することが好ましい。しかしながら、この点に対し、あらゆる持ち運び可能なシステムは、必要なアンテナのサイズが大きいために運ぶのに大きく扱いにくいシステムの使用を必要とする。
【０００８】
最後に、シートアンテナがまたよく知られている。例えば、（カシワギ（Ｋａｓｈｉｗａｇｉ）らによる）米国特許第６３６９７７３号には、基材層、導電性材料からなるアンテナ素子の層および炭素含有層を備えているシートアンテナが表されている。炭素含有層を有するアンテナ素子は前記基材上に積層される。ここでは、この特許による主な使用は、自動車の利用に対してである。この特許は、例えばポリプロピレンなどのポリオレフィン、ポリエチレンなどのポリエステルなどを有する種々の可塑性シートおよびフィルムの使用を教示している。
【発明の開示】
【発明が解決しようとする課題】
【０００９】
しかしながら、監視ゲート用の使用に適合可能なシートアンテナは知られていない。
【００１０】
ここに引用された参照文献は全て、その全体において参照することにより本書に組み込まれる。
【課題を解決するための手段】
【００１１】
巻きつけ可能な可撓性シートの形をした電子放射部品（electronic radiating element）と、該電子放射部品に動力を与える電源装置と備えたセキュリティシステム用の収納可能な（stowable）アンテナシステムが開示される。好ましくは、収納可能なアンテナシステムは、巻きつけられた状態にある前記放射部品を収容し保存するためのハウジングを有している。ここで、前記放射部品は、巻きつけられた状態において収納可能であり、前記セキュリティシステムが作動される場合に用いるために広げられた状態に延ばされ得る。前記ハウジングから延びる１つ若しくはそれ以上の立上り装置（ライザ：riser）が、広げられた状態にある前記放射部品を支持するために使用され得る。前記ライザが、前記ハウジングから延びる伸縮式ライザ（telescopic riser）であってもよい。前記ライザが、前記ハウジングに隣接した固定点と前記電子放射部品の縁部との間にそれぞれ延びるケーブルであってもよい。前記ケーブルが、前記ハウジングの上にある天井と前記電子放射部品の縁部との間に延びていてもよい。１つの好ましい実施形態では、前記電子放射部品が、前記ハウジング内に収容され、巻き上げられたブラインドの形態において前記ハウジング内に保存される。前記電子放射部品が、該電子放射部品上に印刷された広告表示などの表示を有していてもよい。前記電子放射部品は、前記ハウジング内において容易に交換可能に構成されていてもよい。対応するタグが前記システムにより作り出されるセキュリティゾーンの内部に存在する場合にエネルギーを与えられる警報表示灯が、前記電子放射部品に隣接して位置付けられてもよい。
【００１２】
前記巻きつけ可能なアンテナは、自給式（self contained）で持ち運び可能であり得る。前記ハウジングは、地面の下に位置付けられ得る。ここで、好ましくは、前記ハウジングは、地面の上の位置に前記電子放射部品を広げるための通路（access）を備えるカバーを有している。１つ若しくはそれ以上の別体の薄層シートが、前記電子放射部品上に置かれていてもよい。これらの薄層シートは、表示を備えていてもよいおよび／または着色若しくは図案を含んでいてもよい。前記薄層シートは、接着剤を用いて前記電子放射部品に接着され得る。前記接着剤は、好ましくは一次的な接着剤である。
【００１３】
広げられた状態にある前記放射部品を支持するための少なくとも１つのライザは、前記ハウジングから上方へ延びる。また、広げられた状態にある前記放射部品を支持するための１つのライザまたは複数のライザが、前記ハウジングから水平にまたは下方へ延びてもよい。最後に、好ましくは、前記電源装置は、標準の交流１１０ボルト電源を使用して動作可能である（しかし、電池や太陽エネルギーなどの他の種類の電源により動作可能であってもよい）。
【発明を実施するための最良の形態】
【００１４】
本発明を、同様の参照番号が同様の部品を示している添付図面と併せて説明する。
【００１５】
同様の部品番号がいくつかの図面を通じて同様の部品を指している図面を参照すると、図１には、本発明の１つの好ましい実施形態に係る、収納可能なアンテナシステム１０が示されている。収納可能なアンテナシステム１０は、例えばシートアンテナ１２の形をした電子放射部品を有している。前記電子放射部品は、折り畳み可能または巻きつけ可能であり、ＨＦおよびＵＨＦおよびマイクロ波などの周波数においてＥＡＳまたはＲＦＩＤタグなどの無線機器（不図示）を備えた前記放射部品との通信を提供する可撓性シートの形をした実質的にあらゆる放射部品であると広く解釈されるよう意図される。適切な電子部品はまた、非常によく知られ一般に利用可能な前記システム（不図示）に含まれる。電源装置１４が、電子放射部品１２に動力を与える。加えて、前記電源装置は、電子放射部品１２を巻きつける、および広げるための動力を供給することができる。図２および３に見られるように、ハウジング１６が、巻きつけられた状態にある放射部品１２を収容し保存する。本システムでは、“巻きつけられる”という用語は、巻かれる、折り畳まれるまたは他の方法で小さい低容積空間に対し適合するように長さが低減されることを含むよう広く解釈されることが意図されている。
【００１６】
前記電子放射部品１２を配置することが望まれる場合、少なくとも１つのライザ、好ましくは一対のライザ１８Ａ、１８Ｂが、広げられた状態にある放射部品１０を支持するためにハウジング１６から延びる。作動中に、放射部品１２を配置することが望まれる場合には、ユーザが、ライザ１８Ａ、１８Ｂを延ばす。ライザ１８Ａ、１８Ｂは、該ライザが引っ込められる場合、ハウジング１６の内部に完全に収められるように伸縮式であってもよい。そのライザは、自動的に伸展可能であってもよい。ライザ１８Ａ、１８Ｂが一旦完全に延ばされると（あるいはライザが延ばされている間に）、放射部品１２は、ハウジング１６の内部から引っ張られ、ライザ１８Ａ、１８Ｂの延ばされた端部に隣接した地点まで延びる。図１に示すように、放射部品１２の頂部は、一般に平面状態となるように放射部品１２の頂部を支持するためにクロスバー２０に取り付けられ得る。好ましくは、ハウジング１６は、放射部品１２が適切に巻き上げられた形態において巻きつけられ、ハウジング１６の内部に確実に収容されることを付与する装置２２を含む。
【００１７】
図１に示すように、電子放射部品１２は、例えば広告表示の形をした、該電子放射部品上に印刷された表示２５を有していてもよい。随意的に、特に図４に示すように、表示２５は、電子放射部品１２上に置かれる少なくとも１つの別体の薄層シート２４、例えば紙またはプラスチック・フィルム上に印刷されてもよい。すなわち、薄層シート２４は、異なる広告用画像または単に異なる着色など、異なる表示を有する異なる薄層シートが容易に交換可能であるように放射部品１２から分離される。図４に示すように、２枚の薄層シート２４および２４Ｂが、放射部品１２の両側に示されている。薄層シート２４Ａ、２４Ｂは、例えば、薄層シート２４Ａ、２４Ｂが放射部品１２から容易に取り除かれることを可能にする一時的な接着剤などの接着剤を用いて、電子放射部品１２に接着されてもよい。
【００１８】
好ましくは、一般に入手可能でありよく知られている実際のブラインドと同様に、電子放射部品１２は、ハウジング１６内において容易に取り替え可能である。このことは、前記表示が電子放射部品１２に直接印刷され、別体の薄層シート２４Ａ、２４Ｂが使用されない場合に特に有効である。
【００１９】
ハウジング１６、またはライザ１８上などの電子放射部品に隣接したシステム１０の他の位置に、ＥＡＳまたはＲＦＩＤタグまたは同様のものがシステム１０の適切な範囲の内部に存在する場合にエネルギーを与えられる警報表示灯２６またはブザーなどの警報器２８を備えていてもよい。
【００２０】
図６の別の実施形態に見られるように、ライザは、ハウジング２１６に隣接した固定点またはハウジング２１６上の固定点と電子放射部品２１２の縁部との間に延びるケーブルライザ３０Ａ、３０Ｂの形をしていてもよい。図６の実施形態では、簡単な理由のために、図１の実施形態のものと同様の部品は、接頭辞として同様の参照番号“２”を用いる。例えば、図１のハウジングを１６と表した。図６のハウジングは２１６と表される。各ケーブルライザ３０Ａ、３０Ｂの端部に、該ケーブルライザ３０Ａ、３０Ｂを床（図６）、天井、壁または他の堅い面に取り付けるためにフック（hook）３１Ａ、３１Ｂを備えていてもよい。図６に見られるように、ケーブルライザ３０Ａ、３０Ｂは、ローラ３２上に前記ハウジングの中に引っ込めるようにしてもよい。
【００２１】
ハウジング１６は、電子放射部品１２が実質的にあらゆる方向に延びるように取り付けられ得る。図１、２および３に見られるように、放射部品１２は、ハウジングから上方へ延びてもよい。図６に見られるように、放射部品２１２は、（例えば天井から）下方へ延びてもよい。（図６と本質的に同様であるが、垂直に掛けられる）図７に見られるように、放射部品２１２は、水平に延びてもよい。水平または垂直から角度をなす他の方向の他の形態が、当業者によって容易に想定し実行することができる。
【００２２】
前記システムは、持ち運び可能であることが非常に望ましい。すなわち、前記ハウジングが、補助機器を用いることなく持ち上げて載せることが容易であることが好ましい。しかしながら、本発明のシステム１１０が地下に埋められるように構成される本発明の別の実施形態もまた考えられる。この場合、ハウジング１１６は、図５に示すように、地面上方から前記電子放射部品を広げるために通路を備えるカバー３４を有している。これは、非常に幅の広い通路幅を必要とするカートが欠かせないホームセンターなどの小売店で用いるのに特に有効である。また、図６の実施形態と同様に、図５の実施形態では、簡単な理由のために、図１の実施形態のものと同様の部品は、接頭辞として同様の参照番号“１”を用いる。例えば、図１のハウジングを１６と表した。図５のハウジングは１１６と表される。
【００２３】
最後に、前記システムの電源装置が、例えば標準の１１０ボルトの壁コンセントから、標準の交流１１０ボルト電源を使用して動作可能であることが好ましい。しかしながら、バッテリー電源を含む他の電力システムが考えられる。
【００２４】
特に好ましい１つの実施形態において、前記シートアンテナの放射部品は、ニュージャージー州、ソロフェアーにあるチェックポイントシステムズ社に譲渡され、セキュリティタグおよびそれを製造するプロセスと題され、２００３年３月２０日に発行された米国特許出願公開第２００３／００５１８０６号の開示に従って構成され、その完全明細書が、全体において参照することにより完全に組み込まれる。ここで、前記放射部品は、基材（すなわちシート）の表面において所定のパターンを有する（すなわち前記放射部品の形をした）接着剤層を形成するステップと、導電層を形成するために前記シートの表面に導電性箔を積層するステップと、前記所定のパターンに一般に対応する形に前記導電層の一部を形成するステップと、前記接着剤の前記所定のパターンに対応する前記導電層の部分に対応しない前記導電層の部分を取り除くステップ（すなわち接着剤のない前記第１の導電層を切り取るステップ）とを用いて作られる。
【００２５】
この特定の実施形態を用いる１つの大きな利点は、導電層をエッチングして取り除く従来技術の実施についての実質的な効率の悪さが回避されるという点にある。このことは、大きいアンテナにおいて特に重要である。例えば、エッチングに関連する有害廃棄物の環境への懸念が回避され、導電材料の損失が実質的に低減される。
【００２６】
特定の実施形態に関してここに図示され説明されているが、それにもかかわらず、本発明は、示される詳細に限定されることを意図するものではない。むしろ、本発明の精神から逸脱することなく、特許請求の範囲に対応するものの領域および範囲内の細部において種々の変更がなされ得る。
【図面の簡単な説明】
【００２７】
【図１】本発明の好ましい第１の実施形態に係る収納可能なアンテナシステムの斜視図であり、放射部品が広げられた状態で示されている。
【図２】図１の収納可能なアンテナシステム用のハウジングの斜視図であり、放射部品が巻きつけられた状態で示されている。
【図３】図１の３−３線に略沿って切り取られた図１の収納可能なアンテナシステムの断面図である。
【図４】図１の４−４線に略沿って切り取られた図１の収納可能なアンテナシステムで用いるためのアンテナの１つの実施形態の断面図である。
【図５】本発明の好ましい第２の実施形態に係る収納可能なアンテナシステムの断面図である。
【図６】本発明の好ましい第３の実施形態に係る収納可能なアンテナシステムの斜視図であり、水平に取り付けられた形態で示されている。
【図７】図６の収納可能なアンテナシステムの斜視図であり、垂直に取り付けられた配置で示されている。
【図１】
2008517557.tif 000003
【図２】
2008517557.tif 000004
【図３】
2008517557.tif 000005
【図４】
2008517557.tif 000006
【図５】
2008517557.tif 000007
【図６】
2008517557.tif 000008
【図７】
2008517557.tif 000009
【国際調査報告】
2008517557.tif 000010
2008517557.tif 000011
2008517557.tif 000012